(57)【要約】【課題】遠方の火災に対しても泡消火剤を用いて確実に消火することが可能な消火用ノズルを提供すること。【解決手段】  発泡する泡消火剤を放出する消火用ノズル１００であって、泡消火剤が放出される範囲を調整するものであり、消火用ノズル１００の先端側に設けられている筒状の外筒３と、外筒３との間において泡消火剤の先端側内部流路を形成するものであり、消火用ノズル１００の先端側において外筒３の中空部に設けられているデフレクタ５と、を備え、デフレクタ５は、泡消火剤の発泡を促進するデフレクタ側発泡促進手段、を備え、デフレクタ側発泡促進手段は、デフレクタ５における泡消火剤と接触する位置に設けられている切欠き部であり、また、デフレクタ側発泡促進手段は、デフレクタ５に設けられている開口部であって、泡消火剤を通過させる開口部である。【選択図】図１
2018089271.tif 000002
【特許請求の範囲】
【請求項１】
発泡する泡消火剤を放出する消火用ノズルであって、
前記泡消火剤が放出される範囲を調整するものであり、前記消火用ノズルの先端側に設けられている筒状の調整手段と、
前記調整手段との間において前記泡消火剤の流路を形成するものであり、前記消火用ノズルの先端側において前記調整手段の中空部に設けられているデフレクタと、を備え、
前記デフレクタは、前記泡消火剤の発泡を促進するデフレクタ側発泡促進手段、を備える、
消火用ノズル。
【請求項２】
前記デフレクタ側発泡促進手段は、前記デフレクタにおける前記泡消火剤と接触する位置に設けられている切欠き部である、
請求項１に記載の消火用ノズル。
【請求項３】
前記デフレクタ側発泡促進手段は、前記デフレクタに設けられている開口部であって、前記泡消火剤を通過させる前記開口部である、
請求項１又は２に記載の消火用ノズル。
【請求項４】
前記調整手段は、前記泡消火剤の発泡を促進する調整手段側発泡促進手段、を備える、
請求項１から３のいずれか一項に記載の消火用ノズル。
【発明の詳細な説明】
【技術分野】
【０００１】
本発明は、消火用ノズルに関する。
【背景技術】
【０００２】
従来、発泡する泡消火剤を放出する消火用ノズルが知られていた（例えば、特許文献１参照）。この消火用ノズルは、泡消火剤が放出される範囲又は距離を調整するための調整機構を備えており、広範囲且つ近距離の放出、あるいは、狭範囲且つ遠距離の放出をユーザが選択できるように構成されていた。
【先行技術文献】
【特許文献】
【０００３】
【特許文献１】特開２０１５−６２５１５号公報
【発明の概要】
【発明が解決しようとする課題】
【０００４】
しかしながら、一般的に、泡消火剤は、消火用ノズルから放出される場合に、空気と混ざることにより発泡するので、狭範囲且つ遠距離の放出を行った場合、泡消火剤が到達する位置においても当該泡消火剤が広がらないので、少量の泡消火剤のみが空気と接触することになり、泡消火剤が到達する位置において消火に十分な量の泡を発生させることができなくなる可能性があった。一方、消火に十分な量の泡を発生するために、多量の泡消火剤が空気と接触するように、広範囲且つ近距離の放出を行った場合、遠方（例えば、消火用ノズルから２０メートル程度離れた位置）に設けられている火源に、泡消火剤を到達させることができなくなる可能性があった。したがって、従来の消火用ノズルについては、泡消火剤を用いて遠方の火災についても確実に消火する観点において、改善の余地があった。
【０００５】
本発明は上記問題に鑑みてなされたもので、遠方の火災についても泡消火剤を用いて確実に消火することが可能な消火用ノズルを提供することを目的とする。
【課題を解決するための手段】
【０００６】
上述した課題を解決し、目的を達成するために、請求項１に記載の消火用ノズルは、発泡する泡消火剤を放出する消火用ノズルであって、前記泡消火剤が放出される範囲を調整するものであり、前記消火用ノズルの先端側に設けられている筒状の調整手段と、前記調整手段との間において前記泡消火剤の流路を形成するものであり、前記消火用ノズルの先端側において前記調整手段の中空部に設けられているデフレクタと、を備え、前記デフレクタは、前記泡消火剤の発泡を促進するデフレクタ側発泡促進手段、を備える。
【０００７】
また、請求項２に記載の消火用ノズルは、請求項１に記載の消火用ノズルにおいて、前記デフレクタ側発泡促進手段は、前記デフレクタにおける前記泡消火剤と接触する位置に設けられている切欠き部である。
【０００８】
また、請求項３に記載の消火用ノズルは、請求項１又は２に記載の消火用ノズルにおいて、前記デフレクタ側発泡促進手段は、前記デフレクタに設けられている開口部であって、前記泡消火剤を通過させる前記開口部である。
【０００９】
また、請求項４に記載の消火用ノズルは、請求項１から３のいずれか一項に記載の消火用ノズルにおいて、前記調整手段は、前記泡消火剤の発泡を促進する調整手段側発泡促進手段、を備える。
【発明の効果】
【００１０】
請求項１に記載の消火用ノズルによれば、デフレクタが泡消火剤の発泡を促進するデフレクタ側発泡促進手段を備えることにより、例えば、狭範囲且つ遠距離の放出を行った場合、デフレクタ側発泡促進手段によって泡消火剤における発泡が促進されるので、遠方（例えば、消火用ノズルから２０メートル程度離れた位置）において消火に十分な量の泡を泡消火剤にて発生させることがきるために、遠方の火災に対しても泡消火剤を用いて確実に消火することが可能な消火用ノズルを提供することができる。
【００１１】
請求項２に記載の消火用ノズルによれば、デフレクタ側発泡促進手段が、デフレクタにおける泡消火剤と接触する位置に設けられている切欠き部であることにより、例えば、一部の泡消火剤が切欠き部に接触するので、放出される全泡消火剤における互いに圧力又は速さが異なる部分を発生させることができるために、空気と接触する泡消火剤の量を増大させて空気と混ざる泡消火剤の量を増大させ、遠方において消火に十分な量の泡を泡消火剤にて確実に発生させることがきる。また、例えば、従来のデフレクタの一部を取り除くことによりデフレクタ側発泡促進手段を設けることができるので、デフレクタ側発泡促進手段のための新たな部品が不要となり、部品コストを低減することができるので、消火用ノズルを低価格にて提供することができる。
【００１２】
請求項３に記載の消火用ノズルによれば、デフレクタ側発泡促進手段が、デフレクタに設けられている開口部であって泡消火剤を通過させる開口部であることにより、例えば、一部の泡消火剤が開口部を通過するので、放出される全泡消火剤における互いに圧力又は速さが異なる部分を発生させることができるために、空気と接触する泡消火剤の量を増大させて空気と混ざる泡消火剤の量を増大させ、遠方において消火に十分な量の泡を泡消火剤にて確実に発生させることがきる。また、例えば、開口部を通過して放出される泡消火剤については、消火用ノズル内にてデフレクタに当たって流向が変化することがないので、開口部を通過せずに放出される泡消火剤よりも速い初速にて放出することができるので、空気と確実に混ぜることができる。また、例えば、従来のデフレクタの一部を取り除くことによりデフレクタ側発泡促進手段を設けることができるので、デフレクタ側発泡促進手段のための新たな部品が不要となり、部品コストを低減することができるので、消火用ノズルを低価格にて提供することができる。
【００１３】
請求項４に記載の消火用ノズルによれば、調整手段が泡消火剤の発泡を促進する調整手段側発泡促進手段を備えることにより、例えば、狭範囲且つ遠距離の放出を行った場合、デフレクタ側発泡促進手段に加えて調整手段側発泡促進手段によって泡消火剤における発泡が促進されるので、遠方において消火に十分な量の泡を泡消火剤にて確実に発生させることがきる。
【図面の簡単な説明】
【００１４】
【図１】本実施の形態に係る消火用ノズルの側面図である。
【図２】消火用ノズルの正面図である。
【図３】図１の消火用ノズルの先端部の拡大図である。
【図４】外筒が先端側（−Ｘ方向）に摺動された状態の、図１の消火用ノズルの先端部の拡大図である。
【図５】デフレクタの側面図である。
【図６】デフレクタの正面図である。
【図７】図３において泡消火剤の流れ又は放出の方向を例示した図である。
【図８】図４において泡消火剤の流れ又は放出の方向を例示した図である。
【図９】変形例のデフレクタの正面図である。
【図１０】変形例のデフレクタの正面図である。
【発明を実施するための形態】
【００１５】
以下に、本発明に係る消火用ノズルの実施の形態を図面に基づいて詳細に説明する。なお、この実施の形態によりこの発明が限定されるものではない。
【００１６】
〔実施の形態の基本的概念〕
まずは、実施の形態の基本的概念について説明する。実施の形態は、概略的に、調整手段と、デフレクタと、デフレクタ側発泡促進手段とを備える消火用ノズルに関するものである。
【００１７】
ここで、「消火用ノズル」とは、泡消火剤を放出する放出手段であり、例えば、消防用の設備である消火栓、スプリンクラー、消火器、あるいは消防車において用いられる機器等を含む概念である。ここで、「泡消火剤」とは、発泡する消火剤であり、例えば、冷却効果と燃焼物を覆うことによって生じる窒息効果によって消火するものであって、一例としては、消火用水に泡原液を混入した泡水溶液等であって消火用ノズルから放出されることにより発泡するもの等を含む概念である。
【００１８】
また、「調整手段」とは、泡消火剤が放出される範囲を調整するものであって、消火用ノズルの先端側に設けられている筒状のものであり、例えば、消火用ノズルの外筒等を含む概念である。
【００１９】
また、「デフレクタ」とは、調整手段との間において泡消火剤の流路を形成するものであって、消火用ノズルの先端側において調整手段の中空部に設けられているものであり、また、泡消火剤を拡散させるためのものであり、例えば、消火用ノズルの本体部に対して着脱可能なもの等を含む概念である。
【００２０】
また、「デフレクタ側発泡促進手段」とは、泡消火剤の発泡を促進するものであって、例えば、デフレクタにおける泡消火剤と接触する位置に設けられている切欠き部、あるいは、デフレクタに設けられている開口部であって、泡消火剤を通過させる当該開口部等を含む概念である。
【００２１】
以下に示す実施の形態では、「消火用ノズル」が「消火栓において用いられる機器」であり、「デフレクタ側発泡促進手段」が「切欠き部」である場合について説明し、この実施の形態にて説明する場合以外のその他の場合については、変形例にて説明する。
【００２２】
（構成）
まず、本実施の形態に係る消火用ノズルの構成について説明する。図１は、本実施の形態に係る消火用ノズルの側面図であり、図２は、消火用ノズルの正面図である。なお、図１は、図２のＡ―Ａ矢視である一部分について断面を示している図であり、ノズル側本体部１２における先端部１２３以外の部分については公知の内部構造であるので、当該公知の内部構造については説明を省略する。また、図１のノズル側本体部１２の先端部１２３における断面が示されていない部分（具体的には、図１の一点鎖線よりも図面下側（−Ｚ方向）の一部）は、一点鎖線を基準にして、ノズル側本体部１２の先端部１２３における断面が示されている部分（具体的には、図１の一点鎖線よりも図面上側（＋Ｚ方向）の一部）と対称となるような内部構造であるものとして、以下の説明では、ノズル側本体部１２の先端部１２３の内部構造については、主に、図１の一点鎖線よりも図面上側（＋Ｚ方向）の一部を参照して説明する。また、以下の説明では、各図に示すＸ―Ｙ―Ｚ方向が互いに直交する方向であり、具体的には、Ｘ方向が消火用ノズル１００の外筒３が摺動する方向であるものとして、例えば、−Ｘ方向を先端側（正面）と称し、＋Ｘ方向を後端側（背面）と称し、＋Ｚ方向を上側と称し、−Ｚ方向を下側と称して説明する。また、以下の「Ｘ―Ｙ―Ｚ方向」に関する用語については、図示の消火用ノズル１００において、各構成品の相対的な位置関係（又は、方向）等を説明するための便宜的な表現であることとし、図２の外筒３の中心位置を基準として、ＹＺ平面において外筒３の中心位置から離れる方向を「外側」と称し、外筒３の中心位置に近づく方向を「内側」と称して、以下説明する。
【００２３】
これら各図に示す消火用ノズル１００は、泡消火剤を放出する放出手段であり、図１に示すように例えば、ノズル側グリップ部１１、及びノズル側本体部１２を備える。
【００２４】
（構成−ノズル側グリップ部）
ノズル側グリップ部１１は、消火用ノズル１００のユーザ（例えば、消防隊員等）によって保持される保持手段であり、例えば、ノズル側本体部１２から下側（−Ｚ方向）に向かって突出しているものである。
【００２５】
（構成−ノズル側本体部）
ノズル側本体部１２は、消火用ノズル１００の本体であり、具体的には、泡消火剤を放出するためのものであり、例えば、内部流路１２１、ホース接続部１２２、及び先端部１２３を備えるものであり、外観が柱状のものであって中空部を備えるものである。
【００２６】
（構成−ノズル側本体部−内部流路）
内部流路１２１は、泡消火剤のための流路であり、具体的には、ノズル側本体部１２が延在する方向（Ｘ方向）に沿って設けられているものであって、ノズル側本体部１２の内部の中空部に形成されるものである。
【００２７】
（構成−ノズル側本体部−ホース接続部）
ホース接続部１２２は、消火用ノズル１００に対して泡消火剤を供給するための不図示のホースが接続される接続手段であり、具体的には、ノズル側本体部１２における後端側（＋Ｘ方向）に設けられているものである。
【００２８】
（構成−ノズル側本体部−先端部）
先端部１２３は、泡消火剤を放出する放出手段であり、具体的には、ノズル側本体部１２における先端側（−Ｘ方向）に設けられているものである。図３は、図１の消火用ノズルの先端部の拡大図である。先端部１２３は、図３に示すように例えば、内筒２、外筒３、取付部４、及びデフレクタ５を備える。
【００２９】
（構成−ノズル側本体部−先端部−内筒）
内筒２は、デフレクタ５との間において、内部流路１２１における先端側（−Ｘ方向）の一部の流路である先端側内部流路１２１ａを形成するものであり、具体的には、デフレクタ５を取り囲んでいる筒状のものであり、例えば、内筒側突出部２１、及び内筒側傾斜面２２を備えているものである。
【００３０】
（構成−ノズル側本体部−先端部−内筒−内筒側突出部）
内筒側突出部２１は、泡消火剤を誘導する誘導手段あり、具体的には、内筒２における先端側（−Ｘ方向）の一部であって、内側に向かって突出している一部であり、その最も突出している部分がデフレクタ５における後述するデフレクタ側本体部５１よりも小径となり且つデフレクタ側軸部５２よりも大径となっているものである。
【００３１】
（構成−ノズル側本体部−先端部−内筒−内筒側傾斜面）
内筒側傾斜面２２は、泡消火剤を誘導する誘導手段あり、具体的には、内筒２における先端側（−Ｘ方向）の一部であって、先端側（−Ｘ方向）に進むにつれて大径となっているものある。
【００３２】
（構成−ノズル側本体部−先端部−外筒）
外筒３は、泡消火剤が放出される範囲を調整するものであり、消火用ノズル１００の先端側に設けられている筒状の調整手段であって、デフレクタ５との間において、内筒２を介して先端側内部流路１２１ａを形成するものであり、具体的には、内筒２を取り囲んでいる筒状のものであって、ノズル側本体部１２が延在する方向（Ｘ方向）に沿って内筒２に対して摺動可能に取り付けられているものである。図４は、外筒が先端側（−Ｘ方向）に摺動された状態の、図１の消火用ノズルの先端部の拡大図である。この外筒３については、ユーザが当該外筒３を回転させることにより内筒２に対して摺動可能となっており第１位置又は第２位置にてストッパにて固定されるように構成されているが、当該構成については公知の構成を適用することができるので、その詳細の説明について省略する。なお、「第１位置」とは、内筒２に対する外筒３の相対位置であり、具体的には、泡消火剤を比較的近方に対して放出（つまり、広範囲且つ近距離の放出である噴霧放出）するための位置であり、例えば、図３に示す位置であって、内筒側傾斜面２２と後述する外筒側傾斜面３２とが直接的に連続している位置である。また、「第２位置」とは、内筒２に対する外筒３の相対位置であり、具体的には、泡消火剤を比較的遠方に対して放出（つまり、狭範囲且つ遠距離の放出である棒状放出）するための位置であり、例えば、図４に示す位置であって、内筒側傾斜面２２と後述する外筒側傾斜面３２との間に後述する外筒側直進面３１が形成されている位置である。外筒３は、図４に示すように例えば、外筒側直進面３１、及び外筒側傾斜面３２を備えているものである。
【００３３】
（構成−ノズル側本体部−先端部−外筒−外筒側直進面）
外筒側直進面３１は、泡消火剤を誘導する誘導手段であり、具体的には、外筒３における先端側（−Ｘ方向）の一部であって、ノズル側本体部１２が延在する方向（Ｘ方向）に沿っているものである。この外筒側直進面３１のＸ方向における距離については、任意に設定することができるが、ここでは、例えば、泡消火剤が放出される距離である放出距離と、消火用ノズル１００から放出された泡消火剤における泡の量とに関する実験あるいはシミュレーション等の結果に基づいて、所定長さ（例えば、３〜５センチメートル）に設定されていることとして、説明する。
【００３４】
（構成−ノズル側本体部−先端部−外筒−外筒側傾斜面）
外筒側傾斜面３２は、泡消火剤を誘導する誘導手段あり、具体的には、外筒３における先端側（−Ｘ方向）の一部であって、先端側（−Ｘ方向）に進むにつれて大径となっているものである。
【００３５】
（構成−ノズル側本体部−先端部−取付部）
取付部４は、デフレクタ５をノズル側本体部１２に取り付けるための取付手段であり、具体的には、ノズル側本体部１２の先端側（−Ｘ方向）の中空部に公知の手法にて固定されているものであり、例えば、取付側固定ねじ４１、及び取付側支持部４２を備えているものである。取付側固定ねじ４１は、デフレクタ５が着脱自在に螺着される雄ねじであり、取付側支持部４２は、デフレクタ５と当接して支持するものである。
【００３６】
（構成−ノズル側本体部−先端部−デフレクタ）
デフレクタ５は、内筒２及び外筒３との間において泡消火剤の流路である先端側内部流路１２１ａを形成するものであって、消火用ノズル１００の先端側（−Ｘ方向）において内筒２及び外筒３の中空部に設けられているものであり、具体的には、取付部４に取り付けられるものであり、例えば、デフレクタ側本体部５１、及びデフレクタ側軸部５２を備えているものである。
【００３７】
（構成−ノズル側本体部−先端部−デフレクタ−デフレクタ側本体部）
図５は、デフレクタの側面図であり、図６は、デフレクタの正面図である。図４〜図６に示すデフレクタ側本体部５１は、泡消火剤を誘導する誘導手段であり、また、泡消火剤を発泡させる発泡手段であり、具体的には、少なくとも一部に対して泡消火剤が接触するものである。このデフレクタ側本体部５１の具体的な種類や構成は、泡消火剤の発泡を促進できる限りにおいて任意であるが、例えば、ノズル側本体部１２が延在する方向（Ｘ方向）に対して略直交している略円盤形状のものであって、図６の切欠き部５１１を備えているものである。
【００３８】
切欠き部５１１は、泡消火剤の発泡を促進するデフレクタ側発泡促進手段であり、具体的には、デフレクタ５における泡消火剤と接触する位置に設けられているものであって、例えば、フレクタ側本体部５１の外縁部に設けられているものである。この切欠き部５１１の形状、形成位置、及び個数については、泡消火剤の放出距離と、消火用ノズル１００から放出された泡消火剤における泡の量とに関する実験あるいはシミュレーション等の結果に基づいて任意に設定することができるが、ここでは、例えば、放出距離が２０メートルの場合において少なくとも５倍の泡が発生するように、切欠き部５１１の形状を所定径（一例としては、半径０．５ｍｍ〜２ｍｍ程度等）の略半円形状に設定し、等間隔にて、８個設けることとして、説明する。なお、「５倍の泡」とは、放出前の泡消火剤の体積に対して、放出距離だけ離れた位置に放出された泡消火剤の体積が５倍となっていることを示す。
【００３９】
（構成−ノズル側本体部−先端部−デフレクタ−デフレクタ側軸部）
図５に示すデフレクタ側軸部５２は、デフレクタ５を取付部４に取り付けるための取付手段手段であり、例えば、デフレクタ側固定ねじ５２１を備えているものである。デフレクタ側固定ねじ５２１は、図４の取付側固定ねじ４１に着脱自在に螺着される雌ねじであり、当該デフレクタ側固定ねじ５２１を取付側固定ねじ４１に螺着することにより、デフレクタ５がノズル側本体部１２に取り付けられることになる。
【００４０】
（泡消火剤の放出）
次に、このようにして構成された消火用ノズル１００における、泡消火剤の放出について説明する。図７は、図３において泡消火剤の流れ又は放出の方向を例示した図であり、図８は、図４において泡消火剤の流れ又は放出の方向を例示した図である。ここでは、例えば、外筒３が図７に示すように第１位置に固定されており噴霧放出する場合、及び、外筒３が図８に示すように第２位置に固定されており棒状放出する場合に分けて説明する。
【００４１】
（泡消火剤の放出−噴霧放出）
図１のホース接続部１２２側から供給された泡消火剤は、図７の矢印Ａ１１に示すように、先端側内部流路１２１ａの内部を先端側（−Ｘ方向）に向かって移動した後、少なくとも一部が内筒側突出部２１に当たって、矢印Ａ１２に示すように、内筒側突出部２１とデフレクタ側軸部５２との間に誘導された後、デフレクタ側本体部５１に当たって、矢印Ａ１３に示すように、内筒側突出部２１とデフレクタ側本体部５１との間に誘導される。そして、この後、泡消火剤は、内筒側傾斜面２２及び外筒側傾斜面３２に沿って移動した後、矢印Ａ１４に示すように、広範囲にわたって放出された後、消火用ノズル１００に対して比較的近い位置である３〜５メートル程度離れた位置に到達する。この場合、泡消火剤が放出される範囲が広範囲となっているので、泡消火剤が空気と充分に混ざって、当該
泡消火剤が到達する位置において十分な量（一例としては、少なくとも５倍の泡）の泡が発生することになる。
【００４２】
（泡消火剤の放出−棒状放出）
図１のホース接続部１２２側から供給された泡消火剤は、噴霧放出の場合と同様に、図８の矢印Ａ２１に示すように、先端側内部流路１２１ａの内部を先端側（−Ｘ方向）に向かって移動した後、少なくとも一部が内筒側突出部２１に当たって、矢印Ａ２２に示すように、内筒側突出部２１とデフレクタ側軸部５２との間に誘導された後、デフレクタ側本体部５１に当たって、矢印Ａ２３に示すように、内筒側突出部２１とデフレクタ側本体部５１との間に誘導される。そして、この後、泡消火剤は、内筒側傾斜面２２に沿って移動した後に外筒側直進面３１に当たって、当該外筒側直進面３１に沿って誘導されることにより、矢印Ａ２４が示すように、先端側（−Ｘ方向）に向かって放出された後、噴霧放出の場合に比べて放出される範囲は狭くなるが、消火用ノズル１００に対して比較的遠い位置である２０メートル程度離れた位置に到達する。この場合、放出される泡消火剤が、図６のデフレクタ側本体部５１の外縁部における切欠き部５１１が設けられていない部分、及び、切欠き部５１１の両方に接触することになり、一例としては、放出される全泡消火剤における互いに圧力又は速さが異なる部分が多数発生することになり、空気と接触する泡消火剤の量が増大して空気と混ざる泡消火剤の量が増大し、当該泡消火剤が到達する位置において十分な量（一例としては、少なくとも５倍の泡）の泡が発生することになる。
【００４３】
（実施の形態の効果）
このように本実施の形態によれば、デフレクタ５が泡消火剤の発泡を促進する切欠き部５１１を備えることにより、例えば、狭範囲且つ遠距離の放出である棒状放出を行った場合、切欠き部５１１によって泡消火剤における発泡が促進されるので、遠方（例えば、消火用ノズル１００から２０メートル程度離れた位置）において消火に十分な量の泡を泡消火剤にて発生させることがきるために、遠方の火災に対しても泡消火剤を用いて確実に消火することが可能な消火用ノズル１００を提供することができる。
【００４４】
また、デフレクタ５における泡消火剤と接触する位置に設けられている切欠き部５１１を備えることにより、例えば、一部の泡消火剤が切欠き部５１１に接触するので、放出される全泡消火剤における互いに圧力又は速さが異なる部分を発生させることができるために、空気と接触する泡消火剤の量を増大させて空気と混ざる泡消火剤の量を増大させ、遠方において消火に十分な量の泡を泡消火剤にて確実に発生させることがきる。また、例えば、従来のデフレクタの一部を取り除くことにより切欠き部５１１を設けることができるので、切欠き部５１１のための新たな部品が不要となり、部品コストを低減することができるので、消火用ノズル１００を低価格にて提供することができる。
【００４５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４６】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００４７】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００４８】
（デフレクタについて）
また、上記実施の形態では、図６のデフレクタ５を用いる場合について説明したが、当該デフレクタ５とは異なるデフレクタを用いてもよい。図９及び図１０は、変形例のデフレクタの正面図である。
【００４９】
まず、図９のデフレクタ６は、図６のデフレクタ５において切欠き部５１１を切欠き部６１１に変更したものであり、変更した構成以外の構成についてはデフレクタ５と同様である。図９のデフレクタ６はデフレクタ側本体部６１を備えており、デフレクタ側本体部６１は切欠き部６１１を備えている。切欠き部６１１は、泡消火剤の発泡を促進するデフレクタ側発泡促進手段であり、具体的には、デフレクタ側本体部６１の外縁部に設けられているものである。この切欠き部６１１の形状、形成位置、及び個数については、図６の切欠き部５１１より小径の略半円形状に設定し、等間隔にて、切欠き部５１１よりも多数設けられているものである。
【００５０】
次に、図１０のデフレクタ７は、図９のデフレクタ６において開口部７１２を設けたものであり、開口部７１２を設けた点以外についてはデフレクタ６と同様である。図１０のデフレクタ７はデフレクタ側本体部７１を備えており、デフレクタ側本体部７１は切欠き部７１１及び開口部７１２を備えている。切欠き部７１１は、図９の切欠き部６１１と同様な構成である。図１０の開口部７１２は、泡消火剤の発泡を促進するデフレクタ側発泡促進手段であり、具体的には、デフレクタ７に設けられているものであって、泡消火剤を通過させるものであり、例えば、デフレクタ側本体部７１における略中央と外縁部との間に設けられているものである。この開口部７１２の形状、形成位置、及び個数については、泡消火剤の放出距離と、変形例の消火用ノズル（具体的には、実施の形態の消火用ノズル１００においてデフレクタ５をデフレクタ７に変更したもの）から放出された泡消火剤における泡の量とに関する実験あるいはシミュレーション等の結果に基づいて任意に設定することができるが、ここでは、例えば、放出距離が２０メートルの場合において少なくとも５倍の泡が発生するように、開口部７１２の形状を所定径（一例としては、半径０．５ｍｍ〜２ｍｍ程度等）の略円形状に設定し、周方向に等間隔にて、６個設けてもよい。このように構成した場合、デフレクタ７に設けられている開口部７１２であって泡消火剤を通過させる開口部７１２を備えることにより、例えば、一部の泡消火剤が開口部７１２を通過するので、放出される全泡消火剤における互いに圧力又は速さが異なる部分を発生させることができるために、空気と接触する泡消火剤の量を増大させて空気と混ざる泡消火剤の量を増大させ、遠方において消火に十分な量の泡を泡消火剤にて確実に発生させることがきる。また、例えば、開口部７１２を通過して放出される泡消火剤については、変形例の消火用ノズル内にてデフレクタ７に当たって流向が変化することがないので、開口部７１２を通過せずに放出される泡消火剤よりも速い初速にて放出することができるので、空気と確実に混ぜることができる。また、例えば、従来のデフレクタの一部を取り除くことにより開口部７１２を設けることができるので、開口部７１２のための新たな部品が不要となり、部品コストを低減することができるので、変形例の消火用ノズルを低価格にて提供することができる。
【００５１】
（デフレクタ側発泡促進手段について（その１））
また、上記実施形態及び「（デフレクタについて）」に記載したデフレクタ側発泡促進手段について、各構成を省略、又は変更してよい。例えば、図６、図９及び図１０の切欠き部を外縁部における一部のみに設けたり、当該切欠き部の大きさを変更したり、当該切欠き部の形状を半円形状以外の形状（例えば、三角形、矩形等）に変更したり、当該切欠き部の個数を変更したりしてもよい。また、図１０のデフレクタ７において、切欠き部７１１を省略して、デフレクタ側発泡促進手段として開口部７１２のみを用いてもよい。また、例えば、図１０の開口部７１２の大きさを変更したり、開口部７１２の形状を円形状以外の形状（例えば、三角形、矩形等）に変更したり、当該開口部７１２の個数を変更したりしてもよい。
【００５２】
（デフレクタ側発泡促進手段について（その２））
また、上記実施形態においては、デフレクタ側発泡促進手段として図６の切欠き部５１１を用いる場合について説明したが、これに限らない。例えば、図６の切欠き部５１１と共に、あるいは、当該切欠き部５１１に替えて、デフレクタ側本体部５１の外縁部から外側に向かって突出する突起を設けて、当該突起をデフレクタ側発泡促進手段として用いてもよい。また、例えば、当該突起については、デフレクタ側本体部５１の外縁部以外の任意の位置であって、泡消火剤と接触する位置（例えば、デフレクタ側軸部５２等）に設けてもよい。
【００５３】
（デフレクタ側発泡促進手段について（その３））
また、泡の発生量が増加することを確認できる場合、デフレクタ側発泡促進手段として機能する切欠き部や突起を、デフレクタ側本体部５１の外縁部以外の任意の位置であって、泡消火剤と接触する位置（例えば、デフレクタ側軸部５２等）に設けてもよい。
【００５４】
（調整手段側発泡促進手段について（その１））
また、上記実施の形態又は変形例において、調整手段側発泡促進手段を設けてもよい。調整手段側発泡促進手段とは、調整手段が備えているものであり、泡消火剤の発泡を促進するものであって、例えば、溝や突起等である。この場合について具体的には、図４の外筒直進面３１に、Ｘ軸に沿う方向に延在する溝を調整手段側発泡促進手段として設けたり、あるいは、外筒側傾斜面３２に突起を調整手段側発泡促進手段として設けたりしてもよい。このように構成した場合、外筒３が泡消火剤の発泡を促進する調整手段側発泡促進手段である溝又は突起を備えることにより、例えば、狭範囲且つ遠距離の放出である棒状放出を行った場合、デフレクタ側発泡促進手段である図６の切欠き部５１１に加えて調整手段側発泡促進手段である図４の外筒直進面３１の溝（不図示）又は外筒側傾斜面３２の突起（不図示）によって泡消火剤における発泡が促進されるので、遠方において消火に十分な量の泡を泡消火剤にて確実に発生させることがきる。
【００５５】
（調整手段側発泡促進手段について（その２））
また、「（調整手段側発泡促進手段について（その１））」に記載した溝又は突起については、図６の切欠き部５１１と全てが対向するように設けてもよいし、また、切欠き部５１１と全てが対向しないように設けてもよいし、また、切欠き部５１１と一部が対向し、且つ、他の一部が切欠き部５１１と対向しないように設けてもよい。
【００５６】
（特徴について）
また、上記実施の形態の特徴及び変形例の特徴を任意に組合わせてもよい。
【００５７】
（付記）
付記１の消火用ノズルは、発泡する泡消火剤を放出する消火用ノズルであって、前記泡消火剤が放出される範囲を調整するものであり、前記消火用ノズルの先端側に設けられている筒状の調整手段と、前記調整手段との間において前記泡消火剤の流路を形成するものであり、前記消火用ノズルの先端側において前記調整手段の中空部に設けられているデフレクタと、を備え、前記デフレクタは、前記泡消火剤の発泡を促進するデフレクタ側発泡促進手段、を備える。
【００５８】
付記２の消火用ノズルは、付記１に記載の消火用ノズルにおいて、前記デフレクタ側発泡促進手段は、前記デフレクタにおける前記泡消火剤と接触する位置に設けられている切欠き部である。
【００５９】
付記３の消火用ノズルは、付記１又は２に記載の消火用ノズルにおいて、前記デフレクタ側発泡促進手段は、前記デフレクタに設けられている開口部であって、前記泡消火剤を通過させる前記開口部である。
【００６０】
付記４の消火用ノズルは、付記１から３のいずれか一項に記載の消火用ノズルにおいて、前記調整手段は、前記泡消火剤の発泡を促進する調整手段側発泡促進手段、を備える。
【００６１】
（付記の効果）
付記１に記載の消火用ノズルによれば、デフレクタが泡消火剤の発泡を促進するデフレクタ側発泡促進手段を備えることにより、例えば、狭範囲且つ遠距離の放出を行った場合、デフレクタ側発泡促進手段によって泡消火剤における発泡が促進されるので、遠方（例えば、消火用ノズルから２０メートル程度離れた位置）において消火に十分な量の泡を泡消火剤にて発生させることがきるために、遠方の火災に対しても泡消火剤を用いて確実に消火することが可能な消火用ノズルを提供することができる。
【００６２】
付記２に記載の消火用ノズルによれば、デフレクタ側発泡促進手段が、デフレクタにおける泡消火剤と接触する位置に設けられている切欠き部であることにより、例えば、一部の泡消火剤が切欠き部に接触するので、放出される全泡消火剤における互いに圧力又は速さが異なる部分を発生させることができるために、空気と接触する泡消火剤の量を増大させて空気と混ざる泡消火剤の量を増大させ、遠方において消火に十分な量の泡を泡消火剤にて確実に発生させることがきる。また、例えば、従来のデフレクタの一部を取り除くことによりデフレクタ側発泡促進手段を設けることができるので、デフレクタ側発泡促進手段のための新たな部品が不要となり、部品コストを低減することができるので、消火用ノズルを低価格にて提供することができる。
【００６３】
付記３に記載の消火用ノズルによれば、デフレクタ側発泡促進手段が、デフレクタに設けられている開口部であって泡消火剤を通過させる開口部であることにより、例えば、一部の泡消火剤が開口部を通過するので、放出される全泡消火剤における互いに圧力又は速さが異なる部分を発生させることができるために、空気と接触する泡消火剤の量を増大させて空気と混ざる泡消火剤の量を増大させ、遠方において消火に十分な量の泡を泡消火剤にて確実に発生させることがきる。また、例えば、開口部を通過して放出される泡消火剤については、消火用ノズル内にてデフレクタに当たって流向が変化することがないので、開口部を通過せずに放出される泡消火剤よりも速い初速にて放出することができるので、空気と確実に混ぜることができる。また、例えば、従来のデフレクタの一部を取り除くことによりデフレクタ側発泡促進手段を設けることができるので、デフレクタ側発泡促進手段のための新たな部品が不要となり、部品コストを低減することができるので、消火用ノズルを低価格にて提供することができる。
【００６４】
付記４に記載の消火用ノズルによれば、調整手段が泡消火剤の発泡を促進する調整手段側発泡促進手段を備えることにより、例えば、狭範囲且つ遠距離の放出を行った場合、デフレクタ側発泡促進手段に加えて調整手段側発泡促進手段によって泡消火剤における発泡が促進されるので、遠方において消火に十分な量の泡を泡消火剤にて確実に発生させることがきる。
【符号の説明】
【００６５】
２  内筒
３  外筒
４  取付部
５  デフレクタ
６  デフレクタ
７  デフレクタ
１１  ノズル側グリップ部
１２  ノズル側本体部
２１  内筒側突出部
２２  内筒側傾斜面
３１  外筒側直進面
３２  外筒側傾斜面
４１  取付側固定ねじ
４２  取付側支持部
５１  デフレクタ側本体部
５２  デフレクタ側軸部
６１  デフレクタ側本体部
７１  デフレクタ側本体部
１００  消火用ノズル
１２１  内部流路
１２１ａ  先端側内部流路
１２２  ホース接続部
１２３  先端部
５１１  切欠き部
５２１  デフレクタ側固定ねじ
６１１  切欠き部
７１１  切欠き部
７１２  開口部
Ａ１１  矢印
Ａ１２  矢印
Ａ１３  矢印
Ａ１４  矢印
Ａ２１  矢印
Ａ２２  矢印
Ａ２３  矢印
Ａ２４  矢印
【図１】
2018089271.tif 000003
【図２】
2018089271.tif 000004
【図３】
2018089271.tif 000005
【図４】
2018089271.tif 000006
【図５】
2018089271.tif 000007
【図６】
2018089271.tif 000008
【図７】
2018089271.tif 000009
【図８】
2018089271.tif 000010
【図９】
2018089271.tif 000011
【図１０】
2018089271.tif 000012